(57)【要約】【課題】電子機器筐体の外側から内側に向かう方向と内側から外側に向かう方向の双方からの筐体の取付穴への取り付けが可能であり、汎用性に優れ、取り付けの工程や電子機器の組み立ての工程の自由度を高めることができる防水ジャックを提供する。【解決手段】プラグ挿入孔２１を有する略筒状の本体２と、本体２の電子機器筐体側の端部を封止する封止部２２と、プラグ挿入孔２１に挿入されるプラグと接触可能に本体２で保持され、且つ封止部２２を介して電子機器筐体側に導出される端子３と、本体２の長さ方向中間位置の外周に設けられ、電子機器筐体の取付穴１１の内周面に密接可能な周状のシール材４とを備え、本体２のシール材４よりプラグ挿入側の部分である前部２５と、本体２のシール材４より電子機器筐体側の部分である後部２６とが、周状のシール材４の先端の位置よりも全体が内側に位置するようにして形成されている防水ジャック１。【選択図】図３
2016051668.tif 000002
【特許請求の範囲】
【請求項１】
プラグ挿入孔を有する略筒状の本体と、
前記本体の電子機器筐体側の端部を封止する封止部と、
前記プラグ挿入孔に挿入されるプラグと接触可能に前記本体で保持され、且つ前記封止部を介して前記電子機器筐体側に導出される端子と、
前記本体の長さ方向中間位置の外周に設けられ、前記電子機器筐体の取付穴の内周面に密接可能な周状のシール材とを備え、
前記本体の前記シール材よりプラグ挿入側の部分である前部と、前記本体の前記シール材より前記電子機器筐体側の部分である後部とが、前記周状のシール材の先端の位置よりも全体が内側に位置するようにして形成されている
ことを特徴とする防水ジャック。
【請求項２】
前記本体のプラグ挿入側の部分において上下の少なくとも一方の面が先端に向かって先細となるように傾斜する傾斜部が設けられ、
前記シール材が前記傾斜部と前記封止部との間に位置する中間位置に設けられていることを特徴とする請求項１記載の防水ジャック。
【請求項３】
前記本体の長さ方向中間位置の外周に溝部が形成され、
前記溝部に前記シール材が嵌め込まれていると共に、
前記シール材の前記本体より外側への突出部分が断面視で前後方向に略対称な山形になっている
ことを特徴とする請求項１又は２記載の防水ジャック。
【請求項４】
請求項１〜３の何れかに記載の防水ジャックの前記電子機器筐体側に導出されている前記端子の部分が接続基板になっており、
前記接続基板が前記周状のシール材の先端の位置よりも全体が内側に位置するようにして設けられていると共に、
前記電子機器筐体の取付穴に、前記電子機器筐体の外側から直線方向に前記接続基板を挿入し且つ前記周状のシール材を押し込むようにして前記防水ジャックが配置され、
前記電子機器側のメイン基板の接続受け部に前記接続基板を直線方向に差し込んで前記端子が前記メイン基板に電気的に接続されている
ことを特徴とする防水ジャックの取付構造。
【請求項５】
請求項１〜３の何れかに記載の防水ジャックの前記電子機器筐体側に導出されている前記端子の部分が接続端部が片面で露出する接続基板になっており、
前記電子機器筐体の取付穴に、前記周状のシール材を押し込むようにして前記防水ジャックが配置され、
前記電子機器側のメイン基板の接続部と重なる位置に前記接続基板の前記接続端部が配置され、
前記電子機器筐体の筐体本体に蓋体を嵌め込むことにより、
嵌込方向の押圧で前記メイン基板の前記接続部に前記接続基板の前記接続端部が圧接されて前記端子が前記メイン基板に電気的に接続されている
ことを特徴とする防水ジャックの取付構造。
【請求項６】
請求項１〜３の何れかに記載の防水ジャックを備えることを特徴とする電子機器。
【発明の詳細な説明】
【技術分野】
【０００１】
本発明は、例えば多機能携帯電話機、多機能携帯情報端末、携帯用音楽プレーヤー、電子書籍リーダー、音響機器など各種電子機器の電気的な接続に用いられる防水ジャック及びその取付構造、並びに防水ジャックの取付構造を備える電子機器に関する。
【背景技術】
【０００２】
従来、電子機器の内部に水が浸入することを防止するジャックの取付構造として特許文献１の取付構造がある。特許文献１の取付構造では、携帯端末の筐体にジャック取付用凹部を設け、この取付用凹部の内側側壁に楕円形の接続用貫通孔を形成すると共に、ジャックの携帯端末内側に位置する端部を先細端部とし、先細端部の外周にシール部材を嵌め込み、先細端部を接続用貫通孔に挿入してシール部材を接続用貫通孔の内周に密着するようにジャックを取り付けることにより、取付用凹部側から筐体本体の内部に水が浸入することを防止している。また、この取付構造では、ジャックの先細端部側から接続用貫通孔より外側に延びるように湾曲して形成されているフレキシブル基板が接続用貫通孔に挿入され、このフレキシブル基板の先端が携帯端末筐体のメイン基板に電気的に接続されている。
【先行技術文献】
【特許文献】
【０００３】
【特許文献１】特開２０１３−４２２８１号公報
【発明の概要】
【発明が解決しようとする課題】
【０００４】
ところで、特許文献１のジャックは、直方体状のジャック本体の全体が先細端部の外周に嵌め込まれたシール部材よりも外方向に突出するものであり、携帯端末筐体の接続用貫通孔へのジャックの取付方向は、必然的に携帯端末筐体の外側から内側に向かう方向に規制される。そのため、ジャックの取り付け、携帯端末の組み立ての工程を制約し、汎用性に劣るという問題がある。
【０００５】
本発明は上記課題に鑑み提案するものであり、電子機器筐体の外側から内側に向かう方向と内側から外側に向かう方向の双方からの取付穴への取り付けが可能であり、汎用性に優れ、取り付けの工程や電子機器の組み立ての工程の自由度を高めることができる防水ジャック及びその取付構造、並びにその防水ジャックの取付構造を備える電子機器を提供することを目的とする。
【課題を解決するための手段】
【０００６】
本発明の防水ジャックは、プラグ挿入孔を有する略筒状の本体と、前記本体の電子機器筐体側の端部を封止する封止部と、前記プラグ挿入孔に挿入されるプラグと接触可能に前記本体で保持され、且つ前記封止部を介して前記電子機器筐体側に導出される端子と、前記本体の長さ方向中間位置の外周に設けられ、前記電子機器筐体の取付穴の内周面に密接可能な周状のシール材とを備え、前記本体の前記シール材よりプラグ挿入側の部分である前部と、前記本体の前記シール材より前記電子機器筐体側の部分である後部とが、前記周状のシール材の先端の位置よりも全体が内側に位置するようにして形成されていることを特徴とする。尚、前記シール材が設けられる長さ方向中間位置には、シール材よりプラグ挿入側に本体の前部があり、シール材より電子機器筐体側に本体の後部がある場合の全ての位置が含まれる。
これによれば、本体の外周に設けられるシール材の先端より、前部と後部が全体が内側に位置するようにして形成されていることから、電子機器筐体の外側から内側に向かう方向と内側から外側に向かう方向の双方からの防水ジャックの取付穴への取り付けが可能となる。従って、防水ジャックの取り付けの工程や電子機器の組み立ての工程の自由度を高めることができ、汎用性に極めて優れる防水ジャックを得ることができる。
【０００７】
本発明の防水ジャックは、前記本体のプラグ挿入側の部分において上下の少なくとも一方の面が先端に向かって先細となるように傾斜する傾斜部が設けられ、前記シール材が前記傾斜部と前記封止部との間に位置する中間位置に設けられていることを特徴とする。
これによれば、筐体の側部が傾斜した形状の電子機器に対応する防水ジャックを得ることができると共に、かかる形状の防水ジャックにおいて取付穴と防水ジャックの本体との間から電子機器筐体の内側に水が浸入することを確実に防止することができる。更に、この防水ジャックでも、電子機器筐体の外側から内側に向かう方向と内側から外側に向かう方向の双方からの防水ジャックの取付穴への取り付けを確保することができる。
【０００８】
本発明の防水ジャックは、前記本体の長さ方向中間位置の外周に溝部が形成され、前記溝部に前記シール材が嵌め込まれていると共に、前記シール材の前記本体より外側への突出部分が断面視で前後方向に略対称な山形になっていることを特徴とする。
これによれば、電子機器筐体の外側から内側に向かう方向と内側から外側に向かう方向の双方からのシール材の取付穴への圧入において、山形のシール材が圧入する側に若干倒れることにより、スムーズに取付穴に圧入することができると共に、シール材の山形が潰れるようにして取付穴に密接させて確実に防水することができる。
【０００９】
本発明の防水ジャックの取付構造は、本発明の防水ジャックの前記電子機器筐体側に導出されている前記端子の部分が接続基板になっており、前記接続基板が前記周状のシール材の先端の位置よりも全体が内側に位置するようにして設けられていると共に、前記電子機器筐体の取付穴に、前記電子機器筐体の外側から直線方向に前記接続基板を挿入し且つ前記周状のシール材を押し込むようにして前記防水ジャックが配置され、前記電子機器側のメイン基板の接続受け部に前記接続基板を直線方向に差し込んで前記端子が前記メイン基板に電気的に接続されていることを特徴とする。
これによれば、予めメイン基板が設置されている電子機器筐体の取付穴に、外側から直線方向に防水ジャックの接続基板を挿入し且つシール材を押し込む動作、換言すれば直線的な挿入動作だけで防水ジャックを電子機器筐体に取り付け、電気的に接続することができ、防水ジャックの取付、接続工程を容易化、効率化することができる。また、接続基板の差し込みで電気的に接続することができることから、半田付けされた場合の半田の脱落で断線するようなことがなく、防水ジャックとメイン基板の電気的接続の安定性を高めることができる。また、防水ジャックが故障した場合にも、電子機器筐体、メイン基板の分解、取り外し等を要せずに、直線方向に防水ジャックを離脱し、新たな防水ジャックを直線方向に挿入するだけで修理することが可能となり、防水ジャックの取り替え、電子機器の修理の容易化を図ることができる。
【００１０】
本発明の防水ジャックの取付構造は、本発明の防水ジャックの前記電子機器筐体側に導出されている前記端子の部分が接続端部が片面で露出する接続基板になっており、前記電子機器筐体の取付穴に、前記周状のシール材を押し込むようにして前記防水ジャックが配置され、前記電子機器側のメイン基板の接続部と重なる位置に前記接続基板の前記接続端部が配置され、前記電子機器筐体の筐体本体に蓋体を嵌め込むことにより、嵌込方向の押圧で前記メイン基板の前記接続部に前記接続基板の前記接続端部が圧接されて前記端子が前記メイン基板に電気的に接続されていることを特徴とする。
これによれば、電子機器の筐体本体と蓋体の嵌込方向の押圧で接続基板の接続端部をメイン基板の接続部に圧接して電気的に接続することにより、半田付け等が不要で、容易且つ効率的に防水ジャックとメイン基板の電気的接続を行うことができる。また、半田付けされた場合の半田の脱落で断線するようなことがなく、防水ジャックとメイン基板の電気的接続の安定性を高めることができる。
【００１１】
本発明の電子機器は、本発明の防水ジャックを備えることを特徴とする。
これによれば、本発明の防水ジャックの効果を奏する電子機器を得ることができる。
【発明の効果】
【００１２】
本発明によれば、電子機器筐体の外側から内側に向かう方向と内側から外側に向かう方向の双方からの防水ジャックの筐体の取付穴への取り付けが可能となり、防水ジャックの取り付けの工程や電子機器の組み立ての工程の自由度を高めることができ、汎用性に極めて優れる防水ジャックを得ることができる。
【図面の簡単な説明】
【００１３】
【図１】（ａ）は本発明の第１実施形態の防水ジャックの平面図、（ｂ）はその側面図。
【図２】第１実施形態の防水ジャックを電子機器筐体に取り付けた状態の部分斜視図。
【図３】第１実施形態の防水ジャックを電子機器筐体に取り付けた状態の部分縦断面図。
【図４】（ａ）は本発明の第２実施形態の防水ジャックの平面図、（ｂ）はその側面図。
【図５】第２実施形態の防水ジャックを電子機器筐体に取り付けた状態の部分斜視図。
【図６】第２実施形態の防水ジャックを電子機器筐体に取り付けて蓋体を設置した状態の部分縦断面図。
【図７】電子機器の蓋体の内側を示す部分斜視図。
【発明を実施するための形態】
【００１４】
〔第１実施形態の防水ジャック及びその取付構造〕
本発明による第１実施形態の防水ジャック１は、例えば多機能携帯電話機、多機能携帯情報端末、携帯用音楽プレーヤーなど携帯型小型電子機器等の電子機器に内装されるものであり、図１〜図３に示すように、プラグ挿入孔２１を有する略筒状の本体２と、プラグ挿入孔２１に挿入されるプラグと接触可能に本体２で保持される端子３と、本体２の長さ方向中間位置の外周に設けられるシール材４を備える。
【００１５】
略筒状の本体２は、絶縁性の樹脂素材で形成され、プラグ挿入孔２１内で端子３を保持していると共に、電子機器の筐体に取り付けた状態における筐体側の端部には封止部２２が設けられており、封止部２２で水密に封止することにより、プラグ挿入孔２１内に浸入した水が封止部２２よりも奥側に浸入することを防止している。
【００１６】
本実施形態の本体２には、プラグ挿入側の部分の上下の少なくとも一方、図示例では上面が、側面視で先端に向かって先細となるように傾斜する傾斜面になっている傾斜部２３が設けられており、傾斜部２３を設けることにより、電子機器の筐体の側部を傾斜した形状にすることが可能になっている。傾斜部２３が設けられたプラグ挿入孔２１の挿入口は横から上面にかけて略細長半円形に開口する形状になっている。
【００１７】
傾斜部２３より奥側の本体２は、本実施形態では直方体状に形成されており、略同一の高さと幅で長さ方向に延びるように形成され、この直方体状の部分と傾斜部２３は筐体本体１０の取付穴１１に挿入可能な大きさになっている。また、本体２の長さ方向において、傾斜部２３と封止部２１との間の中間の所定位置には溝部２４が外周に沿って形成されており、溝部２４にはシール材４が嵌め込まれて本体２の外周に沿って周設されている。
【００１８】
周状のシール材４は、溝部２４に嵌め込まれて周設された状態で、電子機器の筐体本体１０の取付穴１１の内周面に全体が密接可能な高さで形成されていると共に、本実施形態では溝部２４に嵌め込まれたシール材４の本体２より外側に突出する部分が断面視で前後方向に略対称な山形の形状になっている。
【００１９】
そして、本体２のシール材４よりもプラグ挿入側の部分である前部２５と、本体２のシール材４よりも筐体側の部分である後部２６は、いずれも周状のシール材４の先端の位置よりも全体が内側に位置するようにして形成されており、取付穴１１に筐体側から前部２５を挿入した場合とプラグ挿入側から後部２６を挿入した場合のいずれの場合でも、前部２５、後部２６をスムーズに取付穴１１に挿入することが可能になっている。
【００２０】
端子３の各々は、プラグ挿入孔２１内に挿入される多極プラグの各極と接触可能に本体２で保持されており、プラグ挿入孔２１内の端子３は板バネ部３１の先端に略半球状の接触点３２が設けられている形状になっている。図示例では板バネ部３１の大部分は本体２に埋設されている。また、端子３は封止部２２を介して筐体側に導出されており、本実施形態で筐体本体１０側に導出されている端子３の部分は、接続端部３４が露出する接続基板３３が取付部３５で封止部２２に取り付けられ且つプラグ挿入孔２１内の板バネ部３１と導通接続されて構成されている。図示例の接続端部３４の各々は防水ジャック１の長さ方向に延びる細長矩形で形成されて並設され、接続基板３３の上面側、換言すれば傾斜部２３の傾斜面側で露出している。
【００２１】
接続基板３３は、防水ジャック１の高さ方向の略中間位置において防水ジャック１の長さ方向に奥側へ延びるように形成され、その幅等の大きさが筐体本体１０の取付穴１１に挿入可能な大きさになっていると共に、接続基板３３の全体が周設されているシール材４の先端の位置よりも内側に位置するようにして設けられている。尚、図示例の接続基板３２はフレキシブル基板（ＦＰＣ）で形成されている。
【００２２】
第１実施形態の防水ジャック１の電子機器の筐体への取付構造は、図２及び図３の太線矢印で示す挿入方向Ｓのように、筐体本体１０の取付穴１１に、筐体の外側から直線方向に防水ジャック１を挿入するようにして後部２６及び接続基板３３を挿入し、筐体本体１０の取付穴１１よりも奥側に設けられているメイン基板１２の接続受け部１３にそのまま接続基板３３を差し込むように挿入し、接続基板３３の接続端部３４と接続受け部１３内の接続部をバネ接触等の圧接によって電気的に接続すると共に、本体２の外周に周設されている周状のシール材４を取付穴１１に所定位置まで押し込んで配置することにより、形成される。
【００２３】
この取付構造では、本体２の外周に周設されているシール材４は取付穴１１に圧入されることで取付穴１１の内周面に全体が隙間なく密接され、防水ジャック１の本体２と取付穴１１との間が水密に封止される。従って、防水ジャック１の本体２と取付穴１１との間から筐体の奥側に水が浸入することが防止される。
【００２４】
尚、変形例の取付構造として、筐体１０の取付穴１１に、筐体の内側から直線方向に防水ジャック１を挿入するようにして前部２５を挿入し、本体２の外周に周設されている周状のシール材４を取付穴１１に所定位置まで押し込んで防水ジャック１を配置し、配置した防水ジャック１の接続基板３３にメイン基板１２の接続受け部１３を外挿するようにして、接続基板３３の接続端部３４と接続受け部１３内の接続部をバネ接触等の圧接によって電気的に接続し、筐体の取付穴１１よりも奥側にメイン基板１２を設置するようにして、防水ジャック１の取付構造を形成することも可能である。
【００２５】
第１実施形態の防水ジャック１は、本体２の外周に設けられるシール材４の先端よりも前部２５と後部２６の双方を全体が内側に位置するように形成することで、電子機器の筐体の外側から内側に向かう方向と内側から外側に向かう方向の双方からの防水ジャック１の取付穴１１への取り付けを行うことができる。従って、防水ジャック１の取り付けの工程や電子機器の組み立ての工程の自由度を高めることができ、汎用性に極めて優れる防水ジャック１を得ることができる。
【００２６】
また、筐体の側部が傾斜した形状の電子機器に対応する防水ジャック１を得ることができると共に、かかる形状の防水ジャック１において取付穴１１と防水ジャック１の本体２との間から電子機器筐体の内側に水が浸入することを確実に防止することができる。また、シール材４の本体２より外側への突出部分を断面視で前後方向に略対称な山形にすることで、電子機器の筐体の外側から内側に向かう方向と内側から外側に向かう方向の双方からのシール材４の取付穴１１への圧入において、山形のシール材４が圧入する側に若干倒れることにより、スムーズに取付穴１１に圧入することができると共に、シール材４の山形が潰れるようにして取付穴１１に密接させて確実に防水することができる。
【００２７】
また、その取付構造では、予めメイン基板１２が設置されている電子機器筐体の取付穴１１に、外側から直線方向に防水ジャック１の接続基板３３を挿入し且つシール材４を押し込む動作、換言すれば直線的な挿入動作だけで防水ジャック１を電子機器筐体に取り付け、電気的に接続することができ、防水ジャック１の取付、接続工程を容易化、効率化することができる。また、接続基板３３の差し込みで電気的に接続することができることから、半田付けされた場合の半田の脱落で断線するようなことがなく、防水ジャック１とメイン基板１２の電気的接続の安定性を高めることができる。また、防水ジャック１が故障した場合にも、電子機器筐体、メイン基板１２の分解、取り外し等を要せずに、直線方向に防水ジャック１を離脱し、新たな防水ジャック１を直線方向に挿入するだけで修理することが可能となり、防水ジャック１の取り替え、電子機器の修理の容易化を図ることができる。
【００２８】
〔第２実施形態の防水ジャック及びその取付構造〕
本発明による第２実施形態の防水ジャック１ａでは、図４〜図６に示すように、端子３ａの筐体側に導出されている部分である接続基板３３ａが、防水ジャック１ａの高さ方向に略上端位置から防水ジャック１ａの長さ方向に奥側に延びて形成されており、その幅は筐体本体１０ａの取付穴１１ａに挿入不能な大きさで形成され、接続基板３３ａの一部が周設されているシール材４の先端の位置よりも外側にはみ出す位置に設けられている。接続基板３３ａの接続端部３４ａは、略矩形で形成され、前後方向と左右方向に並んで設けられおり、接続基板３３ａの片面である下面側、換言すれば傾斜部２３の傾斜面と逆側で露出している。その他の基本的な構成は第１実施形態の防水ジャック１と同様である。
【００２９】
第２実施形態の防水ジャック１ａの電子機器の筐体への取付構造では、図５及び図６の太線矢印で示す挿入方向Ｓのように、筐体本体１０ａの取付穴１１ａに、筐体の内側から直線方向に防水ジャック１ａを挿入し、本体２の外周に周設されている周状のシール材４を取付穴１１ａに所定位置まで押し込んで、防水ジャック１ａが配置され、接続基板３３ａの接続端部３４ａは電子機器側のメイン基板１２ａの接続部１４ａと重なる位置に配置される。本体２の外周に周設されているシール材４は取付穴１１ａに圧入されることで取付穴１１ａの内周面に全体が隙間なく密接され、防水ジャック１ａの本体２と取付穴１１ａとの間は水密に封止される。
【００３０】
更に、接続基板３３ａの接続端部３４ａにメイン基板１２ａの接続部１４ａを重ねた状態で筐体本体１０ａに蓋体１５ａを嵌め込むことにより、蓋体１５ａのメイン基板１２ａの全体を略平均した圧力で押圧可能な押圧部材１６ａでメイン基板１２ａが背面側から押圧され、この嵌込方向の押圧でメイン基板１２ａの接続部１４ａと接続基板３３ａの接続端部３４ａとが圧接され、端子３ａとメイン基板１２ａが電気的に接続されている。図示例の蓋体１５ａには押圧部材１６ａの周囲に別のシール材１７ａが設けられており、別のシール材１７ａを筐体本体１０ａの所定領域に密接することにより、筐体本体１０ａと蓋体１５ａとの間を水密に封止可能になっている。
【００３１】
尚、接続基板３３ａの幅を筐体本体１０ａの取付穴１１ａに挿入可能な大きさで形成し、接続基板３３ａの全体を周設されているシール材４の先端よりも内側に位置するように設け、プラグ挿入側から防水ジャック１ａを取り付ける場合には、接続端部３４ａの取付穴１１ａへの挿入、シール材４の取付穴１１ａの内周面への圧入を行うことにより、電子機器筐体の外側から内側に向かう方向と内側から外側に向かう方向の双方から防水ジャック１ａが取付穴１１ａに取り付けられる構成としても良好である。防水ジャック１ａを外側から取り付ける場合にも、取付穴１１ａから筐体側に突出した接続基板３３ａに対して上記と同様に筐体本体１０ａに蓋体１５ａを嵌め込みにより電気的な接続が行われる。
【００３２】
第２実施形態によれば、電子機器の筐体本体１０ａと蓋体１５ａの嵌込方向の押圧で接続基板３３ａの接続端部３４ａをメイン基板１２ａの接続部１４ａに圧接して電気的に接続することにより、半田付け等が不要で、容易且つ効率的に防水ジャック１ａとメイン基板１２ａの電気的接続を行うことができる。また、半田付けされた場合の半田の脱落で断線するようなことがなく、防水ジャック１ａとメイン基板１２ａの電気的接続の安定性を高めることができる。その他、第１実施形態と対応する構成から対応する効果が得られる。
【００３３】
〔実施形態の変形例等〕
本明細書開示の発明は、各発明、各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例も包含する。
【００３４】
例えば第１、第２実施形態の防水ジャック１、１ａのシール材４は、断面視略山形の形状としたが、取付穴１１、１１ａに対して前後双方から圧入が可能なものであれば適宜の形状とすることが可能であり、例えばオーリング等とすることも可能である。また、シール材４の素材は、取付穴１１、１１ａに圧入して内周面に略密接可能なものであれば適宜のものを用いることが可能であり、例えば弾性樹脂、弾性ゴムとすると良好である。また、本発明の防水ジャックは傾斜部２３を有しないものとすることも可能である。
【００３５】
また、第２実施形態では蓋体１５ａの押圧部材１６ａでメイン基板１２ａを背面側から押圧して、メイン基板１２ａの接続部１４ａと接続基板３３ａの接続端部３４ａとを圧接するようにしたが、接続基板３３ａを防水ジャック１ａの高さ方向に略下端位置から奥側に延ばして形成し、上側に露出する接続端部３４ａがその上側に配置されているメイン基板１２ａの接続部１４ａに圧接するように、蓋体１５ａの押圧部材１６ａで接続基板３３ａを背面側から押圧する構成とすることも可能である。また、電子機器筐体の取付穴は、筐体本体、蓋体のいずれにある場合でも本発明は適用可能である。
【００３６】
また、第１、第２実施形態では、本体２の長さ方向における傾斜部２３と封止部２１との間の中間位置の外周にシール材４を周設する構成としたが、本発明におけるシール材が設けられる長さ方向中間位置には、シール材よりプラグ挿入側に本体の前部があり、シール材より電子機器筐体側に本体の後部がある場合の全ての位置が含まれ、例えば封止部２１の外周に沿って溝部を形成し、この溝部にシール材を嵌め込んで設ける等により、封止部２１の外周にシール材を周設する構成としてもよい。尚、シール材を本体のより筐体内部側の位置に配置して周設し、取付穴との密接で封止する構成とすると、ある程度の厚みが必要なシール材による封止構造がより奥側になって、電子機器の筐体の側部の形状を断面視で傾斜した形状や丸みを帯びた形状にするなどコの字形以外の形状にすることが容易となり、電子機器筐体の形状の自由度を増すことができて好ましい。
【産業上の利用可能性】
【００３７】
本発明は、例えば多機能携帯電話機、多機能携帯情報端末、携帯用音楽プレーヤーなど各種電子機器の電気的な接続に用いられる防水ジャックとして利用することができる。
【符号の説明】
【００３８】
１、１ａ…防水ジャック  ２…本体  ２１…プラグ挿入孔  ２２…封止部  ２３…傾斜部  ２４…溝部  ２５…前部  ２６…後部  ３、３ａ…端子  ３１…板バネ部  ３２…接触点  ３３、３３ａ…接続基板  ３４、３４ａ…接続端部  ３５…取付部  ４…シール材  １０、１０ａ…筐体本体  １１、１１ａ…取付穴  １２、１２ａ…メイン基板  １３…接続受け部  １４ａ…接続部  １５ａ…蓋体  １６ａ…押圧部材  １７ａ…別のシール材  Ｓ…挿入方向
【図１】
2016051668.tif 000003
【図２】
2016051668.tif 000004
【図３】
2016051668.tif 000005
【図４】
2016051668.tif 000006
【図５】
2016051668.tif 000007
【図６】
2016051668.tif 000008
【図７】
2016051668.tif 000009